(57)【要約】【課題】撮影対象物を適切に照明することが可能な照明装置を提供すること。【解決手段】撮影軸Ａｘを囲うように配置された複数のＬＥＤチップ４を備えた照明装置Ａであって、複数のＬＥＤチップ４は、撮影軸Ａｘを囲うように配置された複数のセグメント３に取り付けられており、各セグメント３は、撮影軸Ａｘを通る平面内において揺動可能に支持されている。【選択図】  図２
2008099056.tif 000002
【特許請求の範囲】
【請求項１】
撮影軸を囲うように配置された複数の光源を備えた照明装置であって、
上記複数の光源は、上記撮影軸を囲うように配置された複数のセグメントに取り付けられており、
上記各セグメントは、上記撮影軸を通る平面内において揺動可能に支持されていることを特徴とする、照明装置。
【請求項２】
上記撮影軸を囲う円筒部と、
上記円筒部に対して、上記撮影軸が延びる方向に摺動可能とされた摺動リングと、を備えており、
上記各セグメントは、その中央寄り部分が上記円筒部によって支持され、かつその一端寄り部分が上記摺動リングによって支持されており、
上記摺動リングを摺動させることにより上記複数のセグメントが揺動する構成とされている、請求項１に記載の照明装置。
【発明の詳細な説明】
【技術分野】
【０００１】
本発明は、たとえば電子部品の検査ラインにおける検査カメラの照明に用いられる照明装置に関する。
【背景技術】
【０００２】
図５は、このような用途に用いられる従来の照明装置の一例を示している。同図に示された照明装置Ｘは、ケーシング９１と複数のＬＥＤランプ９２とを備えており、検査カメラＣｍの照明に用いられる。ケーシング９１は、複数のＬＥＤランプ９２を搭載するためのものであり、開口９１ａが設けられている。開口９１ａは、カメラＣｍの撮影軸Ａｘをその中央に位置させることにより、カメラＣｍによる撮影を可能とするものである。複数のＬＥＤランプ９２は、照明装置Ｘの光源であり、ケーシング９１に取り付けられている。複数のＬＥＤランプ９２は、撮影軸Ａｘを中心として同心円状に配置されている。複数のＬＥＤランプ９２からの光は、撮影軸Ａｘの延長線上付近に対して照射される。照明装置Ｘによれば、撮影軸Ａｘ上の特定の位置にある撮影対象物を照明することができる。
【０００３】
しかしながら、検査ラインに複数のサイズの電子部品が流れる場合などには、撮影対象物としての電子部品ごとに照明装置Ｘとの距離が異なる。撮影対象物が照明装置Ｘによって照明される範囲を外れてしまうと、撮影対象物を適切に照明することができない。また、撮影対象物の形状に応じて、より立体的に撮影できるように照明したい場合がある。照明装置Ｘは、撮影対象物に対する照射角度が固定されているため、撮影対象物を平面的にしか撮影できない場合があるという不具合があった。
【０００４】
【特許文献１】特開２００２−２３７９６７号公報
【発明の開示】
【発明が解決しようとする課題】
【０００５】
本発明は、上記した事情のもとで考え出されたものであって、撮影対象物を適切に照明することが可能な照明装置を提供することをその課題とする。
【課題を解決するための手段】
【０００６】
本発明によって提供される照明装置は、撮影軸を囲うように配置された複数の光源を備えた照明装置であって、上記複数の光源は、上記撮影軸を囲うように配置された複数のセグメントに取り付けられており、上記各セグメントは、上記撮影軸を通る平面内において揺動可能に支持されていることを特徴としている。
【０００７】
このような構成によれば、上記複数のセグメントを揺動させることにより上記光源から発せられる光の照射範囲を変更することができる。これにより、撮影対象物と上記照明装置との距離が変わっても、この撮影対象物を適切に照明することができる。また、撮影対象物に対する照射角度を任意に変更することが可能であり、撮影対象物を立体的に撮影するのに適している。
【０００８】
本発明の好ましい実施の形態においては、上記撮影軸を囲う円筒部と、上記円筒部に対して、上記撮影軸が延びる方向に摺動可能とされた摺動リングと、を備えており、上記各セグメントは、その中央寄り部分が上記円筒部によって支持され、かつその一端寄り部分が上記摺動リングによって支持されており、上記摺動リングを摺動させることにより上記複数のセグメントが揺動する構成とされている。このような構成によれば、上記摺動リングを摺動させることにより、上記複数のセグメントを同時に同じ角度で揺動させることが可能である。したがって、上記複数のセグメントを揺動させる駆動機構を簡便化することができる。また、上記複数の光源からの光を上記撮影軸上の任意の位置に集中的に照射することができる。
【０００９】
本発明のその他の特徴および利点は、添付図面を参照して以下に行う詳細な説明によって、より明らかとなろう。
【発明を実施するための最良の形態】
【００１０】
以下、本発明の好ましい実施の形態につき、図面を参照して具体的に説明する。
【００１１】
図１〜図４は、本発明に係る照明装置の一例を示している。本実施形態の照明装置Ａは、円筒部１、摺動リング２、複数のセグメント３、および複数のＬＥＤチップ４を備えており、検査カメラＣｍによる撮影における照明に用いられるものである。なお、図１においては、理解の便宜上、円筒部１のフランジ１１を省略している。
【００１２】
円筒部１は、照明装置Ａの土台となる部分であり、たとえばＡＢＳ樹脂によって形成されている。円筒部１は、その中央空洞部に検査カメラＣｍの撮影軸Ａｘを位置させることが可能に構成されている。円筒部１には、図２〜図４に示すようにフランジ１１が形成されている。フランジ１１は、照明装置Ａをたとえば検査ライン（図示略）の支持フレーム（図示略）に固定するためのものである。
【００１３】
摺動リング２は、円筒部１に対して摺動可能に設けられており、複数のセグメント３を揺動させるために用いられる。摺動リング２は、たとえばＡＢＳ樹脂によって形成されている。
【００１４】
複数のセグメント３は、たとえばＡＢＳ樹脂によって形成されており、円筒部１を中心として放射状に配置されている。本実施形態においては、６つのセグメント３が設けられている。図２に示すように、各セグメント３には、３つのＬＥＤチップ４が搭載されている。各セグメント３には、３つのリフレクタ３ａが形成されている。リフレクタ３ａは、コーン状の面であり、ＡＢＳ樹脂からなる素地にたとえばアルミ蒸着が施された反射面とされている。
【００１５】
各セグメント３は、円筒部１と摺動リング２とに支持されている。複数のセグメント３を支持するために、円筒部１には６つの軸１０が設けられており、摺動リング２には６つの軸２０が設けられている。図２に示すように、各セグメント３のうち中央寄り部分が軸１０によって円筒部１に対して回転可能に支持されている。また、各セグメント３のうちリフレクタ３ａが形成された部分とは反対側の一端寄り部分には、溝３ｂが形成されている。溝３ｂに軸２０を係合させることによって、各セグメント３は摺動リング２に対して回転可能に支持されている。図２において想像線で示すように、摺動リング２を摺動させると各セグメント３は、撮影軸Ａｘとそのセグメント３の中心とを通る平面内において揺動する。図３は、複数のセグメント３がもっとも開いた状態の照明装置Ａを示しており、図４は、複数のセグメント３がもっとも閉じた状態の照明装置Ａを示している。本実施形態においては、各セグメント３の揺動範囲は、４５°程度とされている。また、本実施形態においては、摺動リング２を摺動させる機構として、ねじ機構あるいはラックピニオン機構（いずれも図示略）が採用されている。これらの機構に対してフランジ１１に設けられた貫通孔を通してロッド（図示略）が連結されている。このロッドを回転させることにより、摺動リング２を摺動させることができる。
【００１６】
複数のＬＥＤチップ４は、たとえば白色光を発光可能な半導体発光素子であり、本発明で言う光源の一例である。本実施形態においては、３つのＬＥＤチップ４が基板４０を介してセグメント３に搭載されている。各ＬＥＤチップ４は、リフレクタ３ａのうち絞られた部分に配置されている。基板４０は、たとえばガラスエポキシ樹脂からなる絶縁基板である。
【００１７】
次に、照明装置Ａの作用について説明する。
【００１８】
本実施形態によれば、摺動リング２を摺動させることにより、複数のセグメント３を揺動させることができる。複数のセグメント３の角度を変更させると、複数のＬＥＤチップ４からの光の照射方向を調整することが可能である。しかも、各セグメント３が撮影軸Ａｘを通る平面内において揺動するため、複数のＬＥＤチップ４による照射範囲は常に撮影軸Ａｘを含むこととなる。したがって、撮影軸Ａｘ上に位置する撮影対象物を、照明装置Ａからの距離に応じて適切に照明することができる。また、複数のセグメント３を揺動させることにより、撮影対象物に対する照射角度を調節することが可能である。これは、撮影対象物の凹凸が際立つような角度から照明することにより、撮影対象物をより立体的に撮影するのに適している。
【００１９】
摺動リング２を摺動させることにより、複数のセグメント３を同時に、同じ角度で揺動させることが可能である。これにより、すべてのセグメント３からの光が常に撮影軸Ａｘ上の同一箇所を照明することとなる。したがって、複数のセグメント３からの光の照射範囲が撮影軸Ａｘ上でばらつくことが無く、撮影対象物を効率よく照明することができる。また、摺動リング２を摺動させるための駆動機構は、たとえば複数のセグメント３を個別に揺動させるための駆動機構とくらべて格段に簡便化することが可能である。これは、照明装置Ａのコスト削減や、照明装置Ａの省スペース化に有利である。
【００２０】
本発明に係る照明装置は、上述した実施形態に限定されるものではない。本発明に係る照明装置の各部の具体的な構成は、種々に設計変更自在である。
【００２１】
本発明で言う光源としては、ＬＥＤチップに限定されず、ＬＥＤランプなどをはじめ十分な光量を有する発光手段を用いることができる。セグメントを揺動させる手段は、摺動リングによるものが好ましいが、本発明はこれに限定されず、各セグメントを撮影軸を通る平面内において揺動させることが可能な手段を適宜用いればよい。複数の光源および複数のセグメントの個数は、上述した実施形態に限定されず、撮影対象物のサイズ、撮影対象物との距離、または撮影に用いられる検査カメラの仕様に応じて設定すればよい。
【図面の簡単な説明】
【００２２】
【図１】本発明に係る照明装置の一例を示す平面図である。
【図２】図１のＩＩ−ＩＩ線に沿う断面図である。
【図３】本発明に係る照明装置の一例を示す斜視図である。
【図４】本発明に係る照明装置の一例を示す斜視図である。
【図５】従来の照明装置の一例を示す断面である。
【符号の説明】
【００２３】
Ａ      照明装置
Ａｘ    撮影軸
Ｃｍ    検査カメラ
１      円筒部
２      摺動リング
３      セグメント
３ａ    リフレクタ
４      ＬＥＤチップ（光源）
１０，２０  軸
４０    基板
【図１】
2008099056.tif 000003
【図２】
2008099056.tif 000004
【図３】
2008099056.tif 000005
【図４】
2008099056.tif 000006
【図５】
2008099056.tif 000007